(57)【要約】【課題】軽量、安易にて持ち運びや着用可能な放射線の遮蔽板を提供する。【解決手段】放射線の低減吸収効果のある素材で、放射線の屈折効果が期待できる形状に素材を加工し、放射線の遮蔽構造物の軽量化を図ると共に放射線の低減遮蔽効果を得ることとする。低減遮蔽板を重ね合わせることにより、低減遮蔽効果の増大が期待できる。【選択図】図３
2015004520.tif 000002
【特許請求の範囲】
【請求項１】
半球形、中空の半球形および三角錐や四角錐もしくはその中空構造の加工素材を隙間なく並べた板状の形状で金属及び、炭素を含む黒色物質、又はコンクリートを使用した放射線の低減遮蔽板。
【発明の詳細な説明】
【技術分野】
【０００１】
本発明は放射線の低減、遮蔽に関する軽量板のものである。
【背景技術】
【０００２】
従来は人体などに有害な放射線を遮蔽するために、鉛などの重金属や又はコンクリート、水などで分厚く囲い込む必要があった。
【０００３】
そのため、構築作業に手間がかかり、一時保管や作業者が出入りするような構造になりにくいため、突発的事態には不向きであると思われた。
また、作業着に応用できるような重量ではないと思われた。
【先行技術文献】
【非特許文献】
【０００４】
電磁波  ウィキペディア フリー百科事典（以下抜粋）＊（放射線でも屈折現象が存在する）基本的には電磁波は空間中を直進するが、物質が存在する空間では、吸収・屈折・散乱・回折・干渉・反射などの現象が起こる。
電磁波は, 特にその波長によって物体との相互作用が異なる。そこで、波長帯ごとに電磁波は違う呼び方をされることがある。すなわち, 波長の長い方から、電波・赤外線・可視光線・紫外線・X線・ガンマ線などと呼ばれる。
電磁波が、異なる屈折率の物質が接している境界を伝播するとき、その伝播速度が変化することから、屈折が起こる。これを利用したものにレンズがあり、メガネやカメラなどに使われている。
なお、屈折する角度は、電磁波の波長に依存する。
電磁波は波長によって様々な分類がされており、波長の長い方から電波・光・X線・ガンマ線などと呼ばれる。
【０００５】
TarZの日記： 縮退物質でもなんでもない通常物質でガンマ線を「曲げる」
ガンマ線の屈折率＊（人体に有害な高エネルギー放射線は光学的な光線電磁波と逆方向に曲がる）通常、放射線の屈折率は  1+δ  で表される計算式があるが、実証実験はあまりされてこなかった。
理論値よりは曲がるようです。  
通常，X線に対する屈折率（の実部）は1+δで表され，δは負の値を取る。
この挙動は，通常のトムソン散乱に加え，Delbruck散乱(*)を考慮に入れることでよく説明出来る。
*Delbruck散乱：強電場中での光子の散乱の一つ．光子が一時的に電子-陽電子ペアとなり，それがまた光子に戻る過程を通しての散乱（確か）．とんでもない強電場が必要となるので，通常は超強力な集光したレーザー中や，原子核のごく近傍以外では無視出来るほど小さい．今回の場合，ガンマ線が原子核の近傍を通るパスでこの散乱が引き起こされ，屈折率にわずかな影響を及ぼしている．
Delbruck散乱は低エネルギー側から1MeV（＝電子-陽電子対の生成エネルギー）あたりにかけてほぼ平坦（やや微増），1MeVあたりで小さな山を持ち以後のエネルギーでなだらかに低下する．通常のトムソン散乱がもっと急速に減衰するため，1MeV以上の領域ではDelbruck散乱が屈折率への寄与で支配的になり，これに伴いδの符号の変化と（この領域ではトムソン散乱は負の値，Delbruck散乱は正の値を取る），1MeV以上の領域での（これまでの予想に比べれば）比較的大きな屈折率が実現している．
重原子を使えばδの値をそこそこ大きくすることも可能であると予想される．例えば金を使って（Delbruck散乱が一番良く効く）
1MeVのガンマ線を曲げる場合，屈折率1+δにおけるδの値は10-5のオーダーが期待出来る．これは現在のX線光学系に用いられるX線集光用ミラーなどと同等の屈折率（ただし，δの符号は逆だが）となる．
【０００６】
放射線を収束させるレンズの使用例    asicon-tokyo
X線を集光する屈折式のレンズを提供いたします。
X線の屈折率は1よりも小さいため，可視光用レンズとは逆（集光する際）の両凹型の形状をもつレンズとなります。
【０００７】
法則の辞典の解説より  用語検索辞典  kotobank 
デルブリュック散乱     （Delbruck scattering）
外電場による光子の散乱。きわめて強い電場のある状態でないと観測されないほど弱い効果しかもたないので，鉛のような原子核による強い電場のときにのみ観測される。原子核によるコンプトン散乱＊の補正項の一つである。
【０００８】
法則の辞典の解説より  用語検索辞典  kotobank より
トムソン散乱     （Thomson scattering）
自由な電子（および他の荷電粒子）による電磁放射の散乱。荷電粒子が入射電磁波により加速されてエネルギーを得，これを全方向へと放射する。この散乱の全強度は，電子の場合，下の式で与えられる。
I/I0 のことを散乱係数という．可視光線領域ではあまり重要性をもたないが，X線領域ではこの散乱の寄与はかなり著しくなる。
【発明の概要】
【０００９】
放射線の屈折効果を利用して、軽量化を図った構造板で最大限の放射線の低減・遮蔽効果を得るものである。
【発明が解決しようとする課題】
【００１０】
迅速に作業構築できるような加工素材、人が着用する作業服にも転用できるような重量である。
【課題を解決するための手段】
【００１１】
半球、もしくは中空半球、中空の三角錐もしくは四角錐構造の突起物を隙間なく敷き詰め、放射線の飛翔方向が転換できるようなレンズ効果や屈折効果が期待できる形状に加工した板で、鉛などの金属あるいは黒色タール状物質（炭素を含む）や又はコンクリートを使用した板を作成し、重ね合わせることにより放射線の吸収・屈折による
低減遮蔽効果を期待できるようにする。
中空構造でも屈折率に影響はないため、目的の達成手段として中空構造を採用して軽量化を図ることが望ましい。
【発明の効果】
【００１２】
中空構造でも屈折率に影響はない。
球形構造やレンズ状に加工してしまうと焦点を作ってしまうので、中空構造の半球や三角錐、四角錐を隙間なく並べた構造とする。
加工板をいろいろな物に貼り付ける事によって建築物や作業服など使用用途が広がる。
【００１３】
電磁波が、異なる屈折率の物質が接している境界を伝播するとき、その伝播速度が変化することから、屈折が起こる。
重金属など高密度の自由電子空間を放射線が飛翔するときも屈折が起きる。（放射線の位相速度が光速を超える）とされるので、遮蔽に有効な素材で物理的に放射線を止める効果と屈折による放射線の低減遮蔽板を枚数によって重ね合わせることで、対象物への放射線低減相乗効果が期待できる。
【図面の簡単な説明】
【００１４】
（（0006）により、放射線の屈折は入射角より物質に対して外側に曲がるため、加工板を重ね合わせる際は１つの加工素材の中心点が２枚目以降はそれぞれ半径分ずつずらして装着する事が望ましい。）
【図１】半球状の中空加工素材を隙間なく並べた加工板。  加工板を重ねる事により効果の増大が期待できる。
【図２】三角錐の中空加工素材を隙間なく並べた加工板。  加工板を重ねる事により効果の増大が期待できる。
【図３】四角錐の中空加工素材を隙間なく並べた加工板。  加工板を重ねる事により効果の増大が期待できる。
【発明を実施するための形態】
【００１５】
金型などで製作した型枠に上記の素材を流し込み、もしくは成型加工して遮蔽板を作成し、接着剤などでシートなどに貼り付けて重ね合わせられるように製造する。
【図１】
2015004520.tif 000003
【図２】
2015004520.tif 000004
【図３】
2015004520.tif 000005